(57)【要約】【課題】  従来、ハンドレールの外縁に近接する建屋天井等で形成される楔状空間に設けられる保護体は、乗客のいたずらによりその前縁部が割られる事故が散見されていた。その場合、割られた破片が落下してエスカレーター周辺部の通行人に危害をおよぼす事故が発生し、根本的解決が望まれていた。【解決手段】  この問題を解決するため本発明は、エスカレーター１のハンドレール１Ｂの外縁との間で形成される楔状空間Ｑに保護装置６を設け、前記保護装置６を構成する板体４の前縁垂直部４ｍと、これに接する筒体４Ａとを、前記前縁垂直部体４ｍにねじ込まれるねじ体４Ｂと、このねじ体４Ｂの頭部を被うように前記筒体４Ａの外周部と前記板体４の両側面部に貼り付けられるフィルム片４Ｃとで接合したエスカレーターの保護装置とした。【選択図】図３
2018193240.tif 000002
【特許請求の範囲】
【請求項１】
水平路と傾斜路を無端状に連結されて移動するステップと、このステップの手すりとなるハンドレールと、このハンドレールの案内路を形成する欄干と、ハンドレールの外縁との間に水平間隔を有して近接する建屋天井等の固定体とで形成される楔状空間に固定具によって固定される略三角状の板体と、この板体の前縁垂直部に対してその内周面が当設されるように嵌め込まれた略Ｃ字形の筒体とでなる保護装置を備えたものにおいて、前記板体の前縁垂直部と、これに接する前記筒体とを、前記前縁垂直部にねじ込まれるねじ体と、このねじ体の頭部を被うように前記筒体の外周部と前記板体の両側面部に貼り付けられるフィルム片とで接合したことを特徴とするエスカレーターの保護装置。
【発明の詳細な説明】
【技術分野】
【０００１】  本発明は、水平路から傾斜路に至る人員輸送設備であるエスカレーターのハンドレールと建屋天井等の固定体とで形成される楔状空間において乗客の安全性を高めるに好適なエスカレーターの保護装置に関する。
【背景技術】
【０００２】  本技術分野の背景技術として、特許文献１があり、この公報には「保護体の垂直辺とでＬ字形をなす閉塞辺を有する一体物の保護体」装置によって人身事故を防止する旨記載されている。
【先行技術文献】
【特許文献】
【０００３】
【特許文献１】特開２００９−１９０８９３号公報
【発明の概要】
【発明が解決しようとする課題】
【０００４】  上記特許文献１に開示された保護装置は、エスカレーター両側の欄干上端部に設けられ、上昇方向に移動するハンドレールとこのハンドレールの外縁より外に近接する建屋天井等の固定体で形成される楔状空間に、一般にアクリル樹脂材の略三角板と筒状の前縁体を組み合わせた通称「三角ガード板」を対象としている。そして、前記楔状空間において乗客がハンドレールを超えて外に身を乗り出したり、欄干外側の低い位置まで頭部を下げていた時に発生する衝突事故やはさまれ事故を前記閉塞辺で防止する公知例である。しかしながら、前記閉塞辺がもたらす効果以前の問題として、保護装置の前縁部分の割れと、その破片の落下による危害が顕在化している。【０００５】  この保護装置の前縁部分の割れについて、従来構成を示した図５を用いて詳述する。建屋天井等の固定体Ｔに対してエスカレーター外側の固定具Ｋ１と、エスカレーター側の固定具Ｋ２およびねじＫ３によって、略三角状の板体Ｓ１と、これの前縁に接着された筒状の前縁体Ｓ２で構成される保護装置Ｓが配置されている。そして、多くの場合固定具Ｋ１とＫ２は前縁体Ｓ２の外形寸法を避ける形でその前縁よりも距離Ｋｂだけ後退した位置を始点にして配置されている。このような構成において、保護装置Ｓに対していたずらを仕掛ける（後述するように、保護装置の下端部を図２の符号Ｐのように左右に強く揺することで発生する）乗客によって板体Ｓ１が想像線Ｘのように距離Ｋｂ内において斜め方向に割られ（ほとんどが４５°方向に割れる）、その破片が落下してエスカレーター周囲の通行人を負傷させる事例が問題視されていた。このため、板体Ｓ１が割れ難く、万一割れた場合でも落下し難い安全な固定構造とすることが望まれていた。【０００６】  ここで、板体Ｓ１の材質は、破損防止の目的から強靭な樹脂板材とされる透明ポリエチレンテレフタレート樹脂材（通称、ＰＥＴ材）が用いられる一方、筒体の材質は、市場性の高い透明アクリル樹脂材が用いられてきた。なお、固定保護板はＰＥＴ材の適用により破損等の不具合は解消されたものの、筒体は「遠心成形」と呼ばれる特殊な製法のためアクリル材しか市場性がなく、この板体Ｓ１と前縁体Ｓ２の材質違いに対して一種類の接着剤を使うことになるため強度不足（特に、ＰＥＴ材は接着性が劣る）の問題を内包していた。このため、上記のような乗客のいたずら等による前縁部分の落下が懸念され、両部材のより確実な接合構造が要望されていた。【０００７】  本発明は、かかる問題を解決するためになされたものであり、破損および落下防止に効果的なエスカレーターの保護装置を提供することを目的としている。
【課題を解決するための手段】
【０００８】  本発明は、上記目的を達成するために、水平路と傾斜路を無端状に連結されて移動するステップと、このステップの手すりとなるハンドレールと、このハンドレールの案内路を形成する欄干と、ハンドレールの外縁との間に水平間隔を有して近接する建屋天井等の固定体とで形成される楔状空間に固定具によって固定される略三角状の板体と、この板体の前縁垂直部に対してその内周面が当設されるように嵌め込まれた略Ｃ字形の筒体とでなる保護装置を備えたものにおいて、前記前縁垂直部と、これに接する前記筒体とを、前記前縁垂直部にねじ込まれるねじ体と、このねじ体の頭部を被いつつ前記筒体の外周部と板体の両側面部に貼り付けられるフィルム片とで接合したエスカレーターの保護装置としたのである。
【発明の効果】
【０００９】  上記の構成によれば、板体の前縁垂直部と筒体とが、従来の接着剤による接合力に加えてねじ体とフィルム片の接着面とでも直接的に接合されるので接合強度が増し、安全面で懸念された筒体の落下事故が解消される効果がある。また、本発明のねじ体はフィルム片によってその頭部が被われるので弛んで抜け出す心配がなくなり、より高い信頼性を維持できる利点がある。
【図面の簡単な説明】
【００１０】
【図１】本発明の一実施形態を示す部分側面図である。
【図２】本発明の図１のＡ−Ａ線に沿う部分断面図である。
【図３】本発明の保護装置単体の要部斜視図である。
【図４】本発明の図３のＢ−Ｂ線に沿う部分断面図である。
【図５】従来の実施例を示す図３相当の部分斜視図である。
【発明を実施するための形態】
【００１１】  以下、本発明によるエスカレーターの保護装置の一実施形態を図に基づいて説明する。
【００１２】  図１〜４において、本発明の対象となるエスカレーター１は乗降口がある水平路から傾斜路を無端状に連結されて移動する多数のステップ１Ａと、このステップ１Ａの手すりとなるハンドレール１Ｂと、このハンドレール１Ｂの案内路を形成する欄干パネル１Ｃ、欄干デッキ１Ｄ等からなる欄干１Ｅを備えている。そして、ハンドレール１Ｂの外縁との間に水平間隔ｍを空けて位置し、ハンドレール１Ｂとは傾斜角度が異なる建屋天井等の固定体２とで形成される楔状空間Ｑには、その一辺が固定体２の側面に複数のねじ体３で固定され、他の一辺がハンドレール１Ｂよりも下方に至る略三角状の板体４が配置され、板体４の水平方向長さと同等の長さＬ（図１）を有する板状の固定具５が設けられ、これによって板体４を固定体２に固定している。ここで、図１に符号Ｇで示した保護体はチェーンｇなどで固定体２にぶら下げて頭を外に出している乗客に注意喚起する構造体である。加えて、前記板体４の材質は、その破損に対して備える点で後述するものを推奨するものである。そして、板体４は外見的にエスカレーター１の傾斜角（通常３０°）に沿ってハンドレール１Ｂの上面よりも下方に重なり代ｎを有する斜辺部４ａと建屋天井等の底面に沿う上辺部４ｂからなる板厚ｔが６ｍｍ程度の略三角状をなしている。また、それの前縁垂直部４ｍには板厚が６ｍｍ程度、直径Ｄが５０ｍｍ程度の樹脂パイプを縦に切り裂いた状態で略Ｃ字形をなし、上下端の開口を蓋Ｆを接着して塞いだ筒体４Ａがその内周面４ＡＡに当設されるように嵌め込まれている。さらに、板体４と筒体４Ａの相互接触部Ｓにおいてそれぞれ接着剤で接合されるほか、さらなる強度増しのためにねじ体４Ｂによって前縁垂直部４ｍにねじ込まれて接合固定される構造となっている。また、ねじ体４Ｂを境にして上下に２０〜３０ｍｍ、合計幅が５０ｍｍ程度で、長さ方向は、筒体４Ａの外周面と板体４の両側面部側にＬ（特定しないが５０ｍｍ程度）の接着面を有する長方形で、一般に「ガラス飛散防止フィルム」と称するポリエステルフィルム等の透明なフィルム片４Ｃ（膜厚ｔａ）を貼り付けて接合強度を増し、同時にねじ体４Ｂの緩みと抜け出しを防止している。以上のように、板体４、ねじ体３および４Ｂ、筒体４Ｂ、フィルム片４Ｃ等によって本発明の保護装置６を構成するものである。
【００１３】    なお、本発明の板体４等の材質は発明者らが実験した結果から、従来のアクリル樹脂材に代えて、第一にはメタクリル酸メチルエステル系合成樹脂材（例えば、三菱レイヨン社製では商品名が「アクリライトＲ  ＩＲ」）とする。これにより割れやすさを左右する例えば引張り強さ、曲げ強さ（いずれも単位：ＭＰａ）値が高く、素材の時点で割れ難くできる効果がある。また、第二にはポリエチレンテレフタレート樹脂（通称、ＰＥＴ）を推奨する。
【００１４】  このように本発明の保護装置６は、その前縁垂直部４ｍに設ける筒体４Ａが相互接触部Ｓの接着による接合力と、ねじ体４Ｂの接合力と、フィルム片４Ｃの接合力とが合わさって接合されるので、従来のような衝撃やいたずらに起因する割れや落下事故等は解消される利点がある。
【産業上の利用可能性】
【００１５】  なお、上記の構成はエスカレーターに類似した傾斜式動く歩道の場合にも応用できる。
【符号の説明】
【００１６】  １  エスカレーター
１Ａ  ステップ
１Ｂ  ハンドレール
１Ｅ  欄干
２  固定体
３  ねじ体
４  板体
４Ａ  筒体
４Ｂ  ねじ体
４Ｃ  フィルム片
４ｍ  前縁垂直部
６  保護装置
Ｑ  楔状空間
【図１】
2018193240.tif 000003
【図２】
2018193240.tif 000004
【図３】
2018193240.tif 000005
【図４】
2018193240.tif 000006
【図５】
2018193240.tif 000007